(57)【要約】      （修正有）【課題】精度が劣化したタイミングに同期させて適応フィルタの重み付け合成を実行すると、復調信号の品質が劣化する。【解決手段】トレーニング信号を有する送信信号を複数のアンテナで受信し、到来タイミングを検出する同期回路と各アンテナで受信された信号を伝搬路に応じて重み付け合成する適応フィルタ回路と送信信号を復調する復調回路を備え、適応フィルタ回路は、各アンテナで受信された信号を基に重み係数を算出する重み係数演算回路と複数アンテナで受信された信号を重み付け合成する重み付け合成回路を備え、復調回路は適応フィルタ回路からの出力信号を用いてシンボルクロックを再生するクロック再生回路を備え、シンボルクロックに同期して、同期回路と適応フィルタ回路と復調回路を動作させ、適応フィルタ回路は、同期回路で検出されたトレーニング信号の到来タイミングとシンボルクロックに同期してトレーニング信号を用いて重み係数を算出する。【選択図】図１
2010199951.tif 000002
【特許請求の範囲】
【請求項１】
トレーニング信号を有する送信信号を複数のアンテナで受信し、トレーニング信号の到来タイミングを検出する同期回路と、
各アンテナで受信された信号を伝搬路に応じて重み付け合成する適応フィルタ回路と、
前記適応フィルタ回路の出力から送信信号を復調する復調回路を備え、
前記適応フィルタ回路は、各アンテナで受信された信号を基に重み係数を算出する重み係数演算回路と、
前記重み係数演算回路から出力される重み係数を用いて複数アンテナで受信された信号を重み付け合成する重み付け合成回路を備え、
前記復調回路は前記適応フィルタ回路からの出力信号を用いてシンボルクロックを再生するクロック再生回路を備え、
前記クロック再生回路で再生されたシンボルクロックに同期して、前記同期回路と前記適応フィルタ回路と前記復調回路を動作させ、
前記適応フィルタ回路は、前記同期回路で検出されたトレーニング信号の到来タイミングとシンボルクロックに同期してトレーニング信号を用いて重み係数を算出することを特徴とする無線通信復調装置。
【請求項２】
前記復調回路が周波数誤差検出回路を備え、
前記同期回路が周波数誤差補償回路とマッチトフィルタ回路をアンテナ毎に備え、
前記周波数誤差検出回路で検出された周波数誤差を前記周波数誤差補償回路に供給して、
受信信号から周波数誤差を補償し、
前記周波数誤差補償回路の出力信号を前記マッチトフィルタ回路に入力し、アンテナ毎のマッチトフィルタ回路の出力からトレーニング信号の到来タイミングを検出することを特徴とする請求項１に記載の無線通信復調装置。
【請求項３】
前記同期回路が周波数誤差補償回路とマッチトフィルタ回路と周波数誤差検出回路をアンテナ毎に備え、
前記周波数誤差検出回路で検出された周波数誤差をアンテナ毎に前記周波数誤差補償回路に供給して、
受信信号から周波数誤差を補償し、
前記周波数誤差補償回路の出力信号を前記マッチトフィルタ回路に入力し、アンテナ毎のマッチトフィルタ回路の出力からトレーニング信号の到来タイミングを検出することを特徴とする請求項１に記載の無線通信復調装置。
【請求項４】
前記重み係数演算回路は前記周波数誤差補償回路の出力信号をもとに、重み係数を算出することを特徴とする請求項２または３に記載の無線通信復調装置。
【請求項５】
トレーニング信号によってシンボルクロックを再生する粗クロック再生回路と選択回路を備え、
前記選択回路がトレーニング信号の到来タイミングに基づいて、
前記粗クロック再生回路で再生される第１のシンボルクロックから
前記クロック再生回路で再生される第２のシンボルクロックに切り替えること
を特徴とする請求項１から４のいずれか１項に記載の無線通信復調装置。
【発明の詳細な説明】
【技術分野】
【０００１】
本発明は、無線通信において複数のアンテナで受信した信号から送信信号を高い品質で抽出するアダプティブ受信技術に属し、アダプティブ合成前の信号を基に検出されるシンボルクロックや周波数誤差の情報とアダプティブ合成後の信号を基に検出されるシンボルクロックや周波数誤差の情報を適切に切り替えて利用することで、復調信号の品質を高める同期に関する技術である。
【背景技術】
【０００２】
図３は特許文献１に記載された従来のアダプティブ受信装置である。この受信装置はアンテナ・適応フィルタ回路・復調回路から構成される。適用フィルタ回路は高速クロック３１、重み係数演算回路３３３、係数保持回路３３２、重み付け合成回路３３１から構成される。復調回路は波形整形フィルタ３７、自動周波数誤差補償回路（ＡＦＣ）３５、キャリア再生回路３６、クロック再生回路３４から構成される。以下に信号の流れを説明する。
【０００３】
ユーザ信号はアンテナ３０ａとアンテナ３０ｂで受信される。各アンテナで受信された信号は高速クロック３１から出力されるサンプリングレートに同期し、重み係数演算回路３３３に入力され、適応フィルタの重み係数が算出される。
【０００４】
次に重み係数演算回路３３３から出力される重み係数は、後段の復調回路で検出されるシンボルクロックに同期させるように、このシンボルクロックで係数保持回路３３２でラッチされる。
【０００５】
係数保持回路３３２からシンボルクロックに同期して出力される係数と、受信信号を重み付け合成回路３３１で重み付け合成することで適応フィルタ処理が行われる。
【０００６】
適応フィルタ処理を行われた信号は後段の復調回路で、波形整形処理、周波数誤差補償、搬送波位相補償が逐次なされ、復調処理が完了する。
【先行技術文献】
【特許文献】
【０００７】
【特許文献１】特開平１１−２５１９９６号公報
【発明の概要】
【発明が解決しようとする課題】
【０００８】
図３の復調回路はアダプティブ重み付け後の復調信号からシンボルクロックを抽出するため、受信開始時などアダプティブ重み付けが収束していないときは、復調信号の再生タイミング精度が劣化している。この精度が劣化したタイミングに同期させて前段の適応フィルタの重み付け合成を実行すると、アダプティブ重み付け精度が劣化しているので復調信号の品質を劣化させる課題がある。
【０００９】
また、図３の重み係数演算回路は周波数誤差を考慮しておらず、重み係数が周波数誤差の影響を受ける場合、所望の重み係数に収束しない課題がある。
【００１０】
図３の重み係数推定回路はサンプルタイミングで重み係数を導出して、係数保持回路でシンボルクロックでラッチしているが、トレーニング信号はシンボル単位で送信され、サンプリングタイミングとシンボルクロックが非同期の場合、トレーニング信号同期回路が複雑になる課題がある。
【課題を解決するための手段】
【００１１】
上記課題を解決するため、本発明による無線通信復調装置は、トレーニング信号を有する送信信号を複数のアンテナで受信し、トレーニング信号の到来タイミングを検出する同期回路と、
各アンテナで受信された信号を伝搬路に応じて重み付け合成する適応フィルタ回路と、
前記適応フィルタ回路の出力から送信信号を復調する復調回路を備え、
前記適応フィルタ回路は、各アンテナで受信された信号を基に重み係数を算出する重み係数演算回路と、
前記重み係数演算回路から出力される重み係数を用いて複数アンテナで受信された信号を重み付け合成する重み付け合成回路を備え、
前記復調回路は前記適応フィルタ回路からの出力信号を用いてシンボルクロックを再生するクロック再生回路を備え、
前記クロック再生回路で再生されたシンボルクロックに同期して、前記同期回路と前記適応フィルタ回路と前記復調回路を動作させ、
前記適応フィルタ回路は、前記同期回路で検出されたトレーニング信号の到来タイミングとシンボルクロックに同期してトレーニング信号を用いて重み係数を算出する。
【００１２】
また、前記復調回路が周波数誤差検出回路を備え、
前記同期回路が周波数誤差補償回路とマッチトフィルタ回路をアンテナ毎に備え、
前記周波数誤差検出回路で検出された周波数誤差を前記周波数誤差補償回路に供給して、
受信信号から周波数誤差を補償し、
前記周波数誤差補償回路の出力信号を前記マッチトフィルタ回路に入力し、アンテナ毎のマッチトフィルタ回路の出力からトレーニング信号の到来タイミングを検出することも好ましい。
【００１３】
また、前記同期回路が周波数誤差補償回路とマッチトフィルタ回路と周波数誤差検出回路をアンテナ毎に備え、
前記周波数誤差検出回路で検出された周波数誤差をアンテナ毎に前記周波数誤差補償回路に供給して、
受信信号から周波数誤差を補償し、
前記周波数誤差補償回路の出力信号を前記マッチトフィルタ回路に入力し、アンテナ毎のマッチトフィルタ回路の出力からトレーニング信号の到来タイミングを検出することも好ましい。
【００１４】
また、前記重み係数演算回路は前記周波数誤差補償回路の出力信号をもとに、重み係数を算出することも好ましい。
【００１５】
また、トレーニング信号によってシンボルクロックを再生する粗クロック再生回路と選択回路を備え、前記選択回路が
トレーニング信号の到来タイミングに基づいて、
前記粗クロック再生回路で再生される第１のシンボルクロックから
前記クロック再生回路で再生される第２のシンボルクロックに切り替えることも好ましい。
【発明の効果】
【００１６】
以上で述べたように、本発明の技術を用いると、複数のアンテナからの受信信号を、タイミング・周波数誤差補償精度よく重み付け合成可能となり、復調信号の品質向上や高速な同期確立が可能となる。
【図面の簡単な説明】
【００１７】
【図１】本発明の第１の実施形態の無線通信復調装置例を示す。
【図２】本発明の第２の実施形態の無線通信復調装置例を示す。
【図３】従来のアダプティブ受信装置を示す。
【図４】マッチトパルス信号からシンボルクロックの再生処理例を示す。
【発明を実施するための形態】
【００１８】
本発明の第１の実施形態を表す構成図を図１に示す。図１はアンテナと同期回路と適応フィルタ回路と復調回路から構成される。
【００１９】
アンテナは、１０ａ、１０ｂの２本から構成され、この２本のアンテナの受信信号に対してアダプティブ受信を行う。この例では２本のアンテナで説明するが、本発明は２本に限定するものではない。
【００２０】
同期回路は、周波数誤差補償回路（以下ＡＦＣ）１１１・１１２、マッチトフィルタ１２１・１２２、粗クロック再生回路１９、到来タイミング検出回路１１０および選択回路１１１で構成される。
【００２１】
適応フィルタ回路は重み付け合成回路１３１と重み係数演算回路１３２で構成される。
【００２２】
復調回路は波形整形フィルタ１７と周波数誤差補償回路（以下ＡＦＣ）１５と周波数誤差検出回路１８とキャリア再生回路１６とクロック再生回路１４から構成される。
【００２３】
次に信号の流れについて説明する。
送信側では、自己相関波形のピークが鋭く、相互相関は小さいトレーニング信号を挿入して信号を送信する。一方で受信側では、受信アンテナ１０ａと１０ｂで受信された信号は、同期回路に入力され、ＡＦＣ１１１と、ＡＦＣ１１２でアンテナ毎に周波数誤差補償される。ここで、補償に用いる周波数誤差は、後段の復調回路の周波数誤差検出回路１８で検出されたものを用いる。
【００２４】
ＡＦＣ１１１とＡＦＣ１１２でアンテナ毎に受信周波数誤差補償された信号は、マッチトフィルタ１２１、１２２に入力され、マッチトフィルタのマッチトパルス信号から、到来タイミング検出回路１１０でトレーニング信号の到来タイミングが検出される。並行して、粗クロック再生回路１９では、マッチトパルス信号からシンボルクロックが再生される。
【００２５】
図４にマッチトパルス信号からクロックの再生処理例を示す。
図４において選択回路は受信開始当初、粗クロック再生回路からのシンボルクロックを選択し、また粗クロック再生回路の位相補正回路は外部から供給されるシンボルレートと同じ周波数に設定された自走シンボルクロックを位相補正せずに出力する。
【００２６】
このため、自走シンボルクロックと信号ナイキストタイミングが一致しておらず、マッチトフィルタ出力の２乗和であるマッチトパルスの出力が図４ｂに示すようにａ、ｂ、ｃに分散する。
【００２７】
この分散したａ、ｂ、ｃを用いて、位相差検出回路で自走シンボルクロックと信号ナイキストタイミングの位相差を検出し、それを位相補正回路で補正する。位相補正方法を図４ｂに示す。
【００２８】
レベルａ、ｂ、ｃを内挿したピーク値を得るタイミングをナイキストタイミングと定義すれば、自走シンボルクロックとナイキストタイミングの位相差Δは以下の式で表される。
【数１】
2010199951.tif 000003
【００２９】
したがって、位相検出回路ではａ、ｂ、ｃを入力し位相差Δを出力する。一方、位相補正回路ではΔを補正することで、自走シンボルクロックを信号のナイキストタイミングに一致させる。その結果、図４ｂに示すように、ナイキストタイミングに一致したタイミングのみに大きなピーク値を有するマッチトパルスを得ることができる。
【００３０】
次に適応フィルタ回路の動作を説明する。適応フィルタ回路１３では、アンテナ１０ａと、１０ｂで受信された信号を最大のＣ／Ｎ（信号対雑音電力比）で重み付け合成するように重み係数が演算される。この重み係数導出にあたり、ＡＦＣ１１１とＡＦＣ１１２で周波数誤差を補償された信号を用いることで、周波数誤差の影響がない信号を用いて重み係数導出を行う。
【００３１】
ここで導出された重み係数を用いて受信信号を重み付け合成することで、適応フィルタ処理が行われる。
【００３２】
復調回路では、適応フィルタからの出力を波形整形フィルタ１７でルートロールオフ処理を行い、周波数誤差検出回路１８で誤差検出、ＡＦＣ１５で検出した誤差を補償し、キャリア再生回路１６で搬送波の位相を再生、クロック再生回路１４でシンボルクロック再生をそれぞれ行う。
【００３３】
同期回路の選択回路において、シンボルクロックの切り替えについて述べる。
【００３４】
本発明では、粗クロック再生回路でマッチトパルスからシンボルクロックが検出され、一方で復調回路でも干渉補償後の信号からシンボルクロックを再生している。
【００３５】
両者が再生するシンボルクロックはトレーニング信号の長さや周期、その他のパラメータにより精度が異なるため、より精度が高いシンボルクロックを選択することで復調特性が改善する。よって選択回路１１１には、粗クロック再生回路１９からの第１のシンボルクロックとクロック再生回路１４からの第２のシンボルクロックが入力され、何らかの判定基準で第１のシンボルクロックと第２のシンボルクロックを切り替えて使用する。
【００３６】
切り替えの一例としてはトレーニング信号の同期を確立するまでは、第１のシンボルクロックを利用し、トレーニング信号が検出されたタイミング（図４ｂに示すマッチトパルスの電力が設定閾値を超えたタイミング）をトリガに第２のシンボルクロックに切り替える方法が挙げられる。
【００３７】
ただし、上記シンボルクロックの切り替えタイミングは、様々な切り替え手法のうちの一例であり、切り替えタイミングはトレーニング信号が同期したタイミングに限定されるものではない。
【００３８】
第１のシンボルクロックは、重み付け合成前にタイミング再生が可能であるので、受信開始当初、復調回路同期が確立されていない初期段階での同期に活用するのが望ましい。一方で第２のシンボルクロックは、重み付け合成後の信号から得られるので復調回路の初期同期が確立された後ではタイミング精度が高く、初期同期確立後の定常状態で使用するのが望ましい。
【００３９】
以上より、第１のシンボルクロックと第２のシンボルクロックを適切に切り替えることで、第２のシンボルクロックのみを活用する図３の従来のアダプティブ受信装置と比べて、受信開始当初から高い精度でシンボルクロック同期確立が可能となる。
【００４０】
さらに、マッチトフィルタおよび重み係数演算回路に入力する受信信号から、復調回路で推定される周波数誤差をあらかじめ補償することで、マッチトフィルタにおけるタイミング検出精度や重み係数精度が向上し、信号品質が改善される。
【００４１】
本発明の第２の実施形態を表す構成図を図２に示す。図２はアンテナと同期回路と適応フィルタ回路と復調回路から構成される。
【００４２】
アンテナは、２０ａ、２０ｂの２本から構成され、この２本のアンテナの受信信号に対してアダプティブ受信を行う。この例では２本のアンテナで説明するが、本発明のアンテナは２本に限定するものではない。
【００４３】
同期回路は、周波数誤差補償回路（以下ＡＦＣ）２１１・２１２とマッチトフィルタ２２１・２２２、周波数誤差検出回路２８１・２８２と粗クロック再生回路２９と到来タイミング検出回路２１０と選択回路２１１から構成される。
【００４４】
適応フィルタ回路は重み付け合成回路２３１と重み係数演算回路２３２から構成される。
【００４５】
復調回路は波形整形フィルタ２７とキャリア再生回路２６とクロック再生回路２４から構成される。
【００４６】
次に信号の流れについて説明する。
送信側より自己相関波形のピークが鋭く、相互相関が小さいトレーニング信号を挿入して信号を送信する。
【００４７】
一方で受信側では、受信アンテナ２０ａと２０ｂで受信された信号は、同期回路に入力される。ＡＦＣ２１１と、ＡＦＣ２１２で周波数誤差が補償されるが、補償で用いられる周波数誤差は、後段のマッチトフィルタ２２１、２２２からの出力の位相回転をそれぞれ用いて周波数誤差検出回路２８１、２８２で検出されたものとする。
【００４８】
適応フィルタ回路および、復調回路の動作は第１の実施形態と同じであるので説明を割愛する。
【００４９】
図２は、図１と異なり、アンテナ毎に周波数誤差検出回路を備え、誤差検出補正を行うため、受信アンテナ２０ａと２０ｂのＲＦ変換周波数が非同期である場合に対応できる特徴を備える。
【００５０】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００５１】
１０ａ、１０ｂ、２０ａ、２０ｂ  アンテナ
１１１、１１２、１５、２１１、２１２  周波数誤差補償回路（ＡＦＣ）
１２１、１２２、２２１、２２２  マッチトフィルタ
１９、２９  粗クロック再生回路
１１０、２１０  到来タイミング検出回路
１１１、２１１  選択回路
１３１、２３１  重み付け合成回路
１３２、２３２  重み係数演算回路
１４、２４  クロック再生回路
１６、２６  キャリア再生回路
１７、２７  波形整形フィルタ
１８、２８１、２８２  周波数誤差検出回路
３０ａ、３０ｂ  アンテナ
３１    高速クロック
３３１  重み付け合成回路
３３２  係数保持回路
３３３  重み係数演算回路
３４  クロック再生回路
３５  自動周波数誤差補償回路（ＡＦＣ）
３６  キャリア再生回路
３７  波形整形フィルタ
【図１】
2010199951.tif 000004
【図２】
2010199951.tif 000005
【図３】
2010199951.tif 000006
【図４】
2010199951.tif 000007